(57)【要約】【課題】ソケット本体内においてプラグが施錠子によってロックされていないことを外見上からすぐに把握することができる管継手用ソケットを提供する。【解決手段】管継手用ソケット１は、ソケット本体２と、ソケット本体２の外周に嵌合する施錠子操作用のスリーブ５と、スリーブ５とソケット本体２との間でソケット本体２の外周に嵌合するカラー８とを備え、カラー８は、スプリング７によって前進方向に付勢されて前進位置にあるときにはスリーブ５から露出せず、施錠子４によって後方に押圧されて後退したときにはスリーブ５から露出するようになっている。【選択図】　図２
2004100911.tif 000002
【特許請求の範囲】
【請求項１】
先端側に小外径筒部を有し該小外径筒部の後方に大外径筒部を有するソケット本体と、該ソケット本体の外周に前記小外径筒部と前記大外径筒部とに跨って前後に移動可能に嵌合する施錠子操作用のスリーブと、該スリーブと前記ソケット本体との間で該ソケット本体の外周に前記小外径筒部と前記大外径筒部とに跨って前後に摺動自在に嵌合するカラーとを備え、
前記ソケット本体の小外径筒部の先端側には、軸方向に沿って施錠子嵌合用の長孔を設け、該長孔には前記ソケット本体に挿入されるプラグの外周に形成された係合溝に係合する施錠子を軸方向に移動自在で且つ求遠心方向に出没自在に嵌合し、
前記スリーブは、先端内周に突出して前記施錠子を求心方向に押圧する押圧部を有し、前進位置にあるときに前記長孔内で同じく前進位置にある前記施錠子を前記押圧部によって求心方向に押圧し、後退位置にあるときに解放するようになっており、
また、前記カラーは、スプリングによって前進方向に付勢されてその先端部が前記スリーブの押圧部後側に当接して該スリーブを前進方向に付勢するとともに前記施錠子に当接して該施錠子を前進させて前記スリーブの押圧部の下位に位置させ、そして、ソケット本体内に挿入されたプラグの外周に形成された段部によって後方に押されて前記長孔内を後退する前記施錠子によって後方に押圧され前記スプリングの弾発力に抗して後退して前記スリーブの押圧部から離反し、カラーの先端と前記押圧部との間に前記施錠子の遠心方向への移動を許容する空間を形成するようになっており、
更に前記カラーは、前記スプリングによって前進方向に付勢されて前進位置にあるときには前記スリーブから露出せず、前記施錠子によって後方に押圧されて後退したときには前記スリーブから露出するようになっていることを特徴とする管継手用ソケット。
【請求項２】
前記カラーの前記スリーブからの露出は、前記スリーブの後端から前記カラーの後端が露出することによるものであることを特徴とする請求項１に記載の管継手用ソケット。
【請求項３】
前記カラーの前記スリーブからの露出は、前記スリーブの円周上にカラー露出用孔を形成し、このカラー露出用孔に前記カラーの後端が露出することによるものであることを特徴とする請求項１に記載の管継手用ソケット。
【請求項４】
前進位置にあって前記押圧部によって前記施錠子を求心方向に押圧している前記スリーブの後退を阻止するためのロック手段を備えたことを特徴とする請求項１，２又は３に記載の管継手用ソケット。
【発明の詳細な説明】
【０００１】
【発明の属する技術分野】
本発明は、プラグの外周に形成された係合溝に係合した施錠子が施錠子操作用のスリーブの押圧部によって求心方向に押圧されてソケットとプラグとの接続を行う管継手のソケットに関する。
【０００２】
【従来の技術】
プラグを接続する管継手用ソケットとして、ソケット本体と、該ソケット本体の外周に前後に移動可能に嵌合する施錠子操作用のスリーブとを備え、前記ソケット本体の先端側に、プラグをロックするための施錠子を有し、前記スリーブの先端内周に、前進位置にあるときに前記施錠子を求心方向に押圧する押圧部を有する管継手用ソケットが知られている。かかる管継手用ソケットにおいては、ソケット本体内に挿入されたプラグの外周に形成された係合溝に係合した施錠子が前進位置にある前記スリーブの押圧部によって求心方向に押圧されてプラグがロックされ、ソケットとプラグとの接続が行われるようになっている（例えば、特許文献１参照）。
【０００３】
【特許文献１】
特許第３２６５２５１号公報
【０００４】
【発明が解決しようとする課題】
このような管継手では、ソケット本体内へのプラグの挿入が不十分で施錠子がプラグの係合溝に係合せず、施錠子によってプラグがロックされていない状態で、プラグがソケット本体内に挿入されたままとなることがある。特に狭い場所等に使用される管継手にあっては、ソケット本体内へのプラグの挿入が不十分となりやすいことから、このようにプラグが施錠子によってロックされていない不完全な接続状態となりやすい。そして、このようにソケットとプラグとの接続が不完全な状態であっても、プラグはソケット本体内に挿入された状態となっており、外見上は、求心方向に押圧される施錠子によってプラグがロックされてソケットとプラグとが完全に接続されている状態とあまり変わらない。したがって、プラグを引いてみないとソケットとプラグとが完全に接続されているかどうかが分からない。
【０００５】
特に、ソケット本体内に流体通路を開閉するためのバルブが設けられていない管継手用ソケットでは、ソケット本体内へプラグを挿入したときに、挿入したプラグが、スプリングによって前方に付勢されるバルブにより前方に押し戻されるということがない。したがって、このような管継手用ソケットでは、ソケット本体内へのプラグの挿入が不十分な場合に、バルブによってプラグが押し戻されるということがないことから、ソケットとプラグの接続が不完全であってもプラグがソケット本体内に挿入されたままの状態となりやすい。また、ソケット本体とプラグとの間をシールするシールリングがソケット本体の内周に設けられている場合、ソケット本体内へのプラグの挿入が不十分な場合でも、プラグに対するシールリングによる抵抗があるために、プラグがソケット本体内から離脱せず、挿入されたままの状態となりやすい。
【０００６】
本発明の目的は、ソケット本体内においてプラグが施錠子によってロックされていないことを外見上からすぐに把握することができる管継手用ソケットを提供することにある。
【０００７】
【課題を解決するための手段】
上記目的を達成するために、請求項１に記載の発明は、先端側に小外径筒部を有し該小外径筒部の後方に大外径筒部を有するソケット本体と、該ソケット本体の外周に前記小外径筒部と前記大外径筒部とに跨って前後に移動可能に嵌合する施錠子操作用のスリーブと、該スリーブと前記ソケット本体との間で該ソケット本体の外周に前記小外径筒部と前記大外径筒部とに跨って前後に摺動自在に嵌合するカラーとを備え、前記ソケット本体の小外径筒部の先端側には、軸方向に沿って施錠子嵌合用の長孔を設け、該長孔には前記ソケット本体に挿入されるプラグの外周に形成された係合溝に係合する施錠子を軸方向に移動自在で且つ求遠心方向に出没自在に嵌合し、前記スリーブは、先端内周に突出して前記施錠子を求心方向に押圧する押圧部を有し、前進位置にあるときに前記長孔内で同じく前進位置にある前記施錠子を前記押圧部によって求心方向に押圧し、後退位置にあるときに解放するようになっており、また、前記カラーは、スプリングによって前進方向に付勢されてその先端部が前記スリーブの押圧部後側に当接して該スリーブを前進方向に付勢するとともに前記施錠子に当接して該施錠子を前進させて前記スリーブの押圧部の下位に位置させ、そして、ソケット本体内に挿入されたプラグの外周に形成された段部によって後方に押されて前記長孔内を後退する前記施錠子によって後方に押圧され前記スプリングの弾発力に抗して後退して前記スリーブの押圧部から離反し、カラーの先端と前記押圧部との間に前記施錠子の遠心方向への移動を許容する空間を形成するようになっており、更に前記カラーは、前記スプリングによって前進方向に付勢されて前進位置にあるときには前記スリーブから露出せず、前記施錠子によって後方に押圧されて後退したときには前記スリーブから露出するようになっていることを特徴とする。
【０００８】
このような請求項１に記載の発明によれば、ソケット本体内にプラグを挿入すると、挿入されたプラグの段部によって施錠子が後方に押され、後方に押された施錠子は、前記カラーを前記スプリングの弾発力に抗して押圧後退させながら前記長孔内を後退する。このとき、押圧後退したカラーがスリーブの押圧部から離反して形成された空間に、前記長孔内を後退する施錠子がプラグの段部によって遠心方向に押されて移動する。かかる状態のとき、施錠子によって押圧されて後退した前記カラーがスリーブから露出した状態となる。
【０００９】
そして、このようにしてカラーがスリーブの押圧部から離反することにより形成された空間に施錠子が移動すると、これによりプラグの段部が施錠子を越えてさらに挿入され、プラグの外周に形成された係合溝が施錠子の下位に達すると、スプリングの弾発力に抗して後退していたカラーにより押されて施錠子が前記係合溝に係合するとともに前記長孔内を前進し、前記スリーブの押圧部の下位に達し求心方向に押圧された状態となる。これにより、施錠子によってプラグがロックされ、管継手用ソケットとプラグとが接続された状態となる。そして、この状態では前記カラーは、スプリングによって前進方向に付勢されて前進位置にあり、スリーブから露出しない状態となる。
【００１０】
このように、ソケット本体内にプラグが挿入された状態にあっても、施錠子がプラグの段部によって後方に押されて、プラグの係合溝に係合していない状態では、施錠子によって押圧されて後退したカラーがスリーブから露出した状態にある。したがって、スリーブからカラーが露出することにより、プラグが施錠子によってロックされておらず管継手用ソケットとプラグとが完全に接続されていないということが外見上からすぐに分かる。一方、施錠子がプラグの段部に係合してスリーブの押圧部によって求心方向に押圧された状態では、カラーは前進位置にあり、スリーブから露出しないので、スリーブからカラーが露出していない場合には、管継手用ソケットとプラグとが完全に接続されていることが分かる。
【００１１】
請求項２に記載の発明は、前記カラーの前記スリーブからの露出は、前記スリーブの後端から前記カラーの後端が露出することによるものであることを特徴とする。
【００１２】
このような請求項２に記載の発明によれば、ソケット本体内にプラグを挿入すると、挿入されたプラグの段部によって施錠子が後方に押され、後方に押された施錠子は、前記カラーを前記スプリングの弾発力に抗して押圧後退させながら前記長孔内を後退する。このとき、押圧後退したカラーがスリーブの押圧部から離反して形成された空間に、長孔内を後退する施錠子がプラグの段部によって遠心方向に押されて移動する。かかる状態のとき、施錠子によって押圧されて後退した前記カラーがスリーブの後端から露出した状態となる。
【００１３】
そして、このようにしてカラーがスリーブの押圧部から離反することにより形成された空間に施錠子が移動すると、これによりプラグの段部が施錠子を越えてさらに挿入され、プラグの外周に形成された係合溝が施錠子の下位に達すると、スプリングの弾発力に抗して後退していたカラーにより押されて施錠子が前記係合溝に係合するとともに前記長孔内を前進し、前記スリーブの押圧部の下位に達し求心方向に押圧された状態となる。これにより、施錠子によってプラグがロックされ、管継手用ソケットとプラグとが接続された状態となる。そして、この状態では前記カラーは、スプリングによって前進方向に付勢されて前進位置にあり、スリーブの後端から露出しない状態となる。
【００１４】
このように、ソケット本体内にプラグが挿入された状態にあっても、施錠子がプラグの段部によって後方に押されて、プラグの係合溝に係合していない状態では、施錠子によって押圧されて後退したカラーがスリーブの後端から露出した状態にある。したがって、スリーブの後端からカラーが露出することにより、プラグが施錠子によってロックされておらず管継手用ソケットとプラグとが完全に接続されていないということが外見上からすぐに分かる。一方、施錠子がプラグの段部に係合してスリーブの押圧部によって求心方向に押圧された状態では、カラーは前進位置にあり、スリーブの後端から露出しないので、スリーブの後端からカラーが露出していない場合には、管継手用ソケットとプラグとが完全に接続されていることが分かる。
【００１５】
請求項３に記載の発明は、前記カラーの前記スリーブからの露出は、前記スリーブの円周上にカラー露出用孔を形成し、このカラー露出用孔に前記カラーの後端が露出することによるものであることを特徴とする。
【００１６】
このような請求項３に記載の発明によれば、ソケット本体内にプラグを挿入すると、挿入されたプラグの段部によって施錠子が後方に押され、後方に押された施錠子は、前記カラーを前記スプリングの弾発力に抗して押圧後退させながら前記長孔内を後退する。このとき、押圧されて後退したカラーがスリーブの押圧部から離反することにより形成された空間に、長孔内を後退する施錠子がプラグの段部によって遠心方向に押されて移動する。かかる状態のとき、施錠子によって押圧されて後退した前記カラーがスリーブに形成したカラー露出用孔に露出した状態となる。
【００１７】
そして、このようにしてカラーがスリーブの押圧部から離反することにより形成された空間に施錠子が移動すると、これによりプラグの段部が施錠子を越えてさらに挿入され、プラグの外周に形成された係合溝が施錠子の下位に達すると、スプリングの弾発力に抗して後退していたカラーにより押されて施錠子が前記係合溝に係合するとともに前記長孔内を前進し、前記スリーブの押圧部の下位に達し求心方向に押圧された状態となる。これにより、施錠子によってプラグがロックされ、管継手用ソケットとプラグとが接続された状態となる。そして、この状態では前記カラーは、スプリングによって前進方向に付勢されて前進位置にあり、スリーブに形成したカラー露出用孔に露出しない状態となる。
【００１８】
このように、ソケット本体内にプラグが挿入された状態にあっても、施錠子がプラグの段部によって後方に押されて、プラグの係合溝に係合していない状態では、施錠子によって押圧されて後退したカラーがスリーブに形成したカラー露出用孔に露出した状態にある。したがって、スリーブに形成したカラー露出用孔にカラーが露出することにより、プラグが施錠子によってロックされておらず管継手用ソケットとプラグとが完全に接続されていないということが外見上からすぐに分かる。一方、施錠子がプラグの段部に係合してスリーブの押圧部によって求心方向に押圧された状態では、カラーは前進位置にあり、スリーブに形成したカラー露出用孔に露出しないので、スリーブに形成したカラー露出用孔にカラーが露出していない場合には、管継手用ソケットとプラグとが完全に接続されていることが分かる。
【００１９】
請求項４に記載の発明は、請求項１，２又は３に記載の管継手用ソケットに、前進位置にあって前記押圧部によって前記施錠子を求心方向に押圧している前記スリーブの後退を阻止するためのロック手段を備えたことを特徴とする。
【００２０】
このような請求項４に記載の管継手用ソケットによれば、プラグの係合溝に係合した施錠子がスリーブの押圧部によって求心方向に押圧されプラグがロックされているときに、誤操作によりスリーブを後退させてしまい、押圧部による施錠子への求心方向への押圧が解除されて、プラグがソケット本体内から離脱してしまうといった事態を防止することができる。また、スリーブの後退が阻止されている状態では、施錠子がスリーブの押圧部によって求心方向に押圧されプラグがロックされた状態にある。したがって、作業者はスリーブを後退させることができないときは、プラグがソケット本体内においてロックされているということがすぐに分かる。
【００２１】
【発明の実施の形態】
以下、本発明に係る管継手用ソケットの実施の形態の第１例について説明する。
図１は本発明に係る管継手用ソケットにおける実施の形態の第１例の一部縦断側面図、図２は図１で管継手用ソケット内にプラグを挿入した状態を示す一部縦断側面図、図３はプラグの外周に形成された係合溝に施錠子が係合した状態を示す一部縦断側面図、図４はスリーブを回転させロック用凸部とロック解除用凹部を不一致の状態とした一部縦断側面図、図５は図１に示す管継手用ソケットのソケット本体の外周に設けられたスリーブの背面図、図６は図５のＡ−Ａ線断面図、図７はスリーブを後退させて施錠子を解放しプラグを途中まで引き抜いた状態を示す一部縦断側面図である。
【００２２】
この管継手用ソケット１は、先端側に小外径筒部２ａを有し該小外径筒部２ａの後方に大外径筒部２ｂを有するソケット本体２を備えている。小外径筒部２ａの先端側にはその軸方向に沿って施錠子嵌合用のテーパ長孔３が設けられており、テーパ長孔３にはプラグロック用の施錠子４が軸方向に移動可能で且つ求遠心方向に出没自在に嵌合している。本例では施錠子４としてロックボールが使用されている。テーパ長孔３は、小外径筒部２ａの周方向に等間隔で複数設けられ、小外径筒部２ａの内周側では施錠子４の一部が内面に突出した状態で保持されるように横断方向の孔幅が定められ、この孔幅は小外径筒部２ａの外周方向に向かうにつれて広くなるようにテーパ形となっている。施錠子４の直径は小外径筒部２ａの肉厚よりも若干大きく形成されている。
【００２３】
前記ソケット本体２の外周には、施錠子操作用のスリーブ５が前記小外径筒部２ａと大外径筒部２ｂとに跨って、前後に移動可能なようにソケット本体２と所定の間隔をあけて同心状に嵌合している。スリーブ５の先端内周には施錠子４を求心方向に押圧する押圧部６が突出して設けられている。このスリーブ５は、前進位置にあるときにテーパ長孔３内で同じく前進位置にある施錠子４を押圧部６によって求心方向に押圧し後退位置にあるときに解放するようになっている。
【００２４】
スリーブ５とソケット本体２との間には、スプリング７によって前進方向に付勢されるカラー８を備えている。カラー８はソケット本体２の外周に小外径筒部２ａと大外径筒部２ｂとに跨って前後に摺動可能に嵌合している。カラー８の先端には内向きの鍔部９が設けられており、カラー８がスプリング７によって前進方向に付勢されて、鍔部９がスリーブ５の押圧部６の後側に当接してスリーブ５を前進方向に付勢するとともに、施錠子４に当接して施錠子４を前進させてスリーブ５の押圧部６の下位に位置させるようになっている。
【００２５】
また、カラー８は、ソケット本体２内に挿入されたプラグ１０の外周に形成された環状の段部１１によって後方に押されてテーパ長孔３内を後退する施錠子４によって後方に押圧されスプリング７の弾発力に抗して後退してスリーブ５の押圧部６から離反し、鍔部９と押圧部６との間に施錠子４の遠心方向への移動を許容する空間１２を形成するようになっている。
【００２６】
そして、カラー８は、スプリング７によって前進方向に付勢されて前進位置にあるときにはスリーブ５から露出せず、施錠子４によって後方に押圧されて後退したときには、その後端がスリーブ５の後端から突出して露出するようになっている。
【００２７】
さらに、カラー８には、後述するロック用凸部を突出させるための長孔１３が軸方向に設けられている。この長孔１３は、ロック用凸部によってカラー８の軸方向への摺動が妨げられないような長さで設けられている。
【００２８】
１４は、前進位置にあって押圧部６によって施錠子４を求心方向に押圧しているスリーブ５の後退を阻止するためのロック手段である。このロック手段１４は、前記ソケット本体２の大外径筒部２ｂの外周に設けられたロック用凸部１５とスリーブ５の後部側の内周面にロック用凸部１５に対応して設けられた凹部１６とから構成されている。
【００２９】
前記ロック用凸部１５は円周方向に等間隔で２箇所に設けられている。ロックボール用凸部１５としては、本例ではボールを用い、ボールの一部をソケット本体２の大外径筒部２ｂの外周に埋設して設けているが、ボールの代わりにピンを用いてもより。また、ロック用凸部１５はこのようにソケット本体２と別体ではなく、ソケット本体２と一体に形成されていてもよい。
【００３０】
前記スリーブ５の凹部１６の一部には、ロック用凸部１５の侵入を許容しスリーブ５の後退を可能にするためのロック解除用凹部１７が形成されている。ロック解除用凹部１７の軸方向への長さは、スリーブ５が、その押圧部６による求心方向への施錠子４の押圧を解放できる位置にまで後退できるような長さとなっている。
【００３１】
そして、前記ロック用凸部１５は、ロック解除用凹部１６と不一致の状態にあるとき、スリーブ５を後退させようとすると凹部１５の側縁部１８に当接し、これによりスリーブ５の後退が阻止されるようになっている。一方、ロック用凸部１５とロック解除用凹部１７とが一致する状態にあるときには、スリーブ５を後退させるとロック用凸部１５がロック解除用凹部１７内に侵入し、その後退が許容されるようになっている。なお、図６において、一点鎖線で示された１５ａ及び１５ｂはロック用凸部１５の位置を示しており、１５ａはロック用凸部１５がロック解除用凹部１７と不一致の状態にありスリーブ５の後退が阻止される位置、１５ｂはロック用凸部１５がロック解除用凹部１７と一致する状態にあり、スリーブ５の後退が可能な位置である。
【００３２】
なお、１９は、ソケット本体２の先端外周に設けられた防塵用のカバーリングであり、この防塵用カバーリング１９は、前記ソケット本体２の外周に嵌合しているスリーブ５の先端を内部に嵌合し、スリーブ５の抜け出しと、ソケット本体２内へ塵が入るのを防ぐようになっている。２０は、ソケット本体２の内周面に形成された溝部２１に設けられ、ソケット本体２とソケット本体２内に挿入されたプラグ１０との間をシールするシールリングである。
【００３３】
次に、上記管継手用ソケット１とプラグ１０の接続について説明する。
まず、図１のような状態からソケット本体２内にプラグ１０を挿入すると、図２に示すように、プラグ１０の外周に形成された段部１１により施錠子４が後方に押され、後方に押された施錠子４は、カラー８をスプリング７の弾発力に抗し押圧後退させながらテーパ長孔３内を後退する。そして、押圧後退したカラー８がスリーブ５の押圧部６から離反して形成された空間１２に、テーパ長孔３内を後退する施錠子４がプラグ１０の段部１１によって遠心方向に押されて移動する。かかる状態の時、施錠子４によって押圧されて後退したカラー８の後端がスリーブ５の後端から露出した状態となる。
【００３４】
そして、このようにしてカラー８がスリーブ５の押圧部６から離反することにより形成された空間１２に施錠子４が移動すると、これによりプラグ１０の段部１１が施錠子４を越えてさらに挿入され、プラグ１０の外周に形成された係合溝２２が施錠子４の下位に達すると、スプリング７の弾発力に抗して後退していたカラー８により押されて施錠子４が前記係合溝２２に係合するとともに前記テーパ長孔３内を前進し、スリーブ５の押圧部６の下位に達し求心方向に押圧された状態となる（図３）。これにより、施錠子４によってプラグ１０がロックされ、管継手用ソケット１とプラグ１０とが接続された状態となる。そして、この状態では前記カラー８は、スプリング７によって前進方向に付勢されて前進位置にあり、スリーブ５によって完全に覆われた状態となり、スリーブ５の後端から露出しない状態となる。
【００３５】
そして、このようにして施錠子４によってプラグ１０がロックされると、スリーブ５を回転させ、ソケット本体２の大外径筒部２ｂに形成されたロック用凸部１５とスリーブ５の内周面に形成されたロック解除用凹部１７を不一致の状態にする（図４）。かかる状態では、ロック用凸部１５は図６における１５ａに位置するので、スリーブ５を後退させようとしたとき、ロック用凸部１５がスリーブ５の凹部１６の側縁部１８に当接しスリーブ５の後退がロックされる。
【００３６】
また、管継手用ソケット１にプラグ１０を接続する前にスリーブ５のロック解除用凹部１７とロック用凸部１５とを不一致の状態として、スリーブ５の後退をロックさせておいてもよい。
【００３７】
一方、管継手用ソケット１とプラグ１０とを分離させたい場合には、スリーブ５を回転させロック用凸部１５とロック解除用凹部１７とを一致させた状態にすると、ロック用凸部１５は図６における１５ｂに位置するので、スリーブ５の後退が可能となる。そして、スリーブ５をスプリング７の弾発力に抗して後退させて施錠子４に対する求心方向への押圧を解放した後、ソケット本体２内からプラグ１０を引き抜いて分離させる（図７）。
【００３８】
以上説明したように、ソケット本体２内にプラグ１０が挿入された状態にあっても、施錠子４がプラグ１０の段部１１によって後方に押されて、プラグ１０の係合溝２２に係合していない状態では、施錠子４によって押圧されて後退したカラー８の後端がスリーブ５の後端から露出した状態にある。したがって、このようなスリーブ５からのカラー８の露出により、プラグ１０が施錠子４によってロックされておらず管継手用ソケット１とプラグ１０とが完全に接続されていないということが外見上からすぐに分かる。一方、施錠子４がプラグ１０の段部１１に係合してスリーブ５の押圧部６によって求心方向に押圧された状態では、カラー８は前進位置にあり、スリーブ５から露出しないので、スリーブ５からのカラー８の露出がない場合には、管継手用ソケット１とプラグ１０とが完全に接続されていることが分かる。なお、前記カラー８に色を付すと、露出した状態をより分かりやすくすることができる。
【００３９】
また、ロック用凸部１５とロック解除用凹部１７とを不一致の状態にしてスリーブ５の後退をロックしておけば、プラグ１０の係合溝２２に係合した施錠子４がスリーブ５の押圧部６によって求心方向に押圧されプラグ１０がロックされているときに、誤操作によりスリーブ５を後退させてしまい、押圧部６による施錠子４への求心方向への押圧が解除されて、プラグ１０がソケット本体２内から離脱してしまうといった事態を防止することができる。また、スリーブ５の後退が阻止されている状態では、施錠子４がスリーブ５の押圧部６によって求心方向に押圧されプラグ１０がロックされた状態にある。したがって、作業者はスリーブ５を後退させることができないときは、プラグ１０がソケット本体２内においてロックされているということがすぐに分かる。
【００４０】
なお、前記ロック手段１４は上記構成に限られるものではなく、前進位置にあって押圧部６によって施錠子４を求心方向に押圧しているスリーブ５の後退を阻止することができるようになっていればよい。
【００４１】
次に本発明に係る管継手用ソケットの実施の形態の第２例について説明する。なお、上記実施の形態の第１例と同一の要素には同一の符号を付すことによりその説明を省略する。
【００４２】
図８は管継手用ソケット内にプラグを挿入した状態を示す一部縦断側面図、図９はプラグの外周に形成された係合溝に施錠子が係合した状態を示す一部縦断側面図である。
【００４３】
本例の管継手用ソケット２３にあっては、スリーブ５には、ロック用凸部１５よりも軸方向前方の位置に、カラー露出用孔２４が周方向に長く形成されている。
【００４４】
また、ソケット本体２とスリーブ５との間のカラー８は、図８に示すようにソケット本体２内にプラグ１０が挿入されると、プラグ１０の段部１１によって後方に押されて後退する施錠子４によって後方に押圧され、大外径筒部２ｂに形成された環状の段部２５上を摺動して後退するようになっている。そして、カラー８は施錠子によって後方に押圧され段部２５上を摺動して後退したときに、カラー露出用孔２４にその後端が露出するようになっている。
【００４５】
さらにカラー８は、図９に示すように施錠子４がプラグの係合溝２２に係合してスリーブ５の押圧部６によって求心方向に押圧された状態にあり、スプリング７によって前進方向に付勢されて前進位置にあるときには、カラー露出用孔２４から露出しないようになっている。
【００４６】
このような本例の管継手用ソケット２３によっても、第１例の管継手用ソケット１と同様の作用効果を得ることができる。
【００４７】
なお、本例にあっては、カラー８の後退時にカラー８の後端が露出するカラー露出用孔２４の位置が、ロック用凸部１５よりも軸方向に前方となっており、カラー８は、後退時にその後端がロック用凸部１５に当接せず、その後退が妨げられないような長さとなっている。
また、カラー露出用孔２４に代えて切り欠きを形成させてもよい。
【００４８】
【発明の効果】
以上説明したように請求項１に記載の発明によれば、ソケット本体内にプラグが挿入された状態にあっても、施錠子がプラグの段部によって後方に押されて、プラグの係合溝に係合していない状態では、施錠子によって押圧されて後退したカラーがスリーブから露出した状態にある。したがって、スリーブからのカラーの露出により、プラグが施錠子によってロックされておらず管継手用ソケットとプラグとが完全に接続されていないということが外見上からすぐに分かる。一方、施錠子がプラグの段部に係合してスリーブの押圧部によって求心方向に押圧された状態では、カラーは前進位置にあり、スリーブから露出しないので、スリーブからのカラーの露出がない場合には、管継手用ソケットとプラグとが完全に接続されていることが分かる。
【００４９】
請求項２に記載の発明によれば、ソケット本体内にプラグが挿入された状態にあっても、施錠子がプラグの段部によって後方に押されて、プラグの係合溝に係合していない状態では、施錠子によって押圧されて後退したカラーがスリーブの後端から露出した状態にある。したがって、スリーブの後端からカラーが露出することにより、プラグが施錠子によってロックされておらず管継手用ソケットとプラグとが完全に接続されていないということが外見上からすぐに分かる。一方、施錠子がプラグの段部に係合してスリーブの押圧部によって求心方向に押圧された状態では、カラーは前進位置にあり、スリーブの後端から露出しないので、スリーブの後端からカラーが露出していない場合には、管継手用ソケットとプラグとが完全に接続されていることが分かる。
【００５０】
請求項３に記載の発明によれば、ソケット本体内にプラグが挿入された状態にあっても、施錠子がプラグの段部によって後方に押されて、プラグの係合溝に係合していない状態では、施錠子によって押圧されて後退したカラーがスリーブに形成したカラー露出用孔に露出した状態にある。したがって、スリーブに形成したカラー露出用孔にカラーが露出することにより、プラグが施錠子によってロックされておらず管継手用ソケットとプラグとが完全に接続されていないということが外見上からすぐに分かる。一方、施錠子がプラグの段部に係合してスリーブの押圧部によって求心方向に押圧された状態では、カラーは前進位置にあり、スリーブに形成したカラー露出用孔に露出しないので、スリーブに形成したカラー露出用孔にカラーが露出していない場合には、管継手用ソケットとプラグとが完全に接続されていることが分かる。
【００５１】
請求項４に記載の発明によれば、プラグの係合溝に係合した施錠子がスリーブの押圧部によって求心方向に押圧されプラグがロックされているときに、誤操作によりスリーブを後退させてしまい、押圧部による施錠子への求心方向への押圧が解除されて、プラグがソケット本体内から離脱してしまうといった事態を防止することができる。また、スリーブの後退が阻止されている状態では、施錠子がスリーブの押圧部によって求心方向に押圧されプラグがロックされた状態にあるので、作業者はスリーブを後退させることができないときは、プラグがソケット本体内においてロックされているということがすぐに分かる。
【図面の簡単な説明】
【図１】本発明に係る管継手用ソケットにおける実施の形態の第１例の一部縦断側面図。
【図２】図１で管継手用ソケット内にプラグを挿入した状態を示す一部縦断側面図。
【図３】プラグの外周に形成された係合溝に施錠子が係合した状態を示す一部縦断側面図。
【図４】スリーブを回転させロック用凸部とロック解除用凹部を不一致の状態とした一部縦断側面図。
【図５】図１に示す管継手用ソケットのソケット本体の外周に設けられたスリーブの背面図。
【図６】図５のＡ−Ａ線断面図。
【図７】スリーブを後退させて施錠子を解放しプラグを途中まで引き抜いた状態を示す一部縦断側面図。
【図８】本発明における実施の形態の第２例の管継手用ソケット内にプラグを挿入した状態を示す一部縦断側面図。
【図９】プラグの外周に形成された係合溝に施錠子が係合した状態を示す一部縦断側面図。
【符号の説明】
１　　　管継手用ソケット
２　　　ソケット本体
２ａ　　小外径筒部
２ｂ　　大外径筒部
３　　　テーパ長孔
４　　　施錠子
５　　　スリーブ
６　　　押圧部
７　　　スプリング
８　　　カラー
９　　　鍔部
１０　　プラグ
１１　　段部
１２　　空間
１３　　長孔
１４　　ロック手段
１５　　ロック用凸部
１６　　凹部
１７　　ロック解除用凹部
１８　　側縁部
１９　　カバーリング
２０　　シールリング
２１　　溝部
２２　　係合溝
２３　　管継手用ソケット
２４　　カラー露出用孔
２５　　段部
【図１】
2004100911.tif 000003
【図２】
2004100911.tif 000004
【図３】
2004100911.tif 000005
【図４】
2004100911.tif 000006
【図５】
2004100911.tif 000007
【図６】
2004100911.tif 000008
【図７】
2004100911.tif 000009
【図８】
2004100911.tif 000010
【図９】
2004100911.tif 000011